(57)【要約】双眼鏡を使用するが、さらに、両手を自由に使用することが好ましいスポーツ競技および他のイベントを見るためのハンズフリーの双眼鏡バイザーヘッドギア。調節可能なヘッド固定装置は、そのユニットをユーザーの頭部に固定する。双眼鏡、あるいは、他の光学機械のレンズは、それらを使用中の位置と不使用中の位置との間に旋回することが可能なように、ヘッド固定装置に取り付けられる。そのユニットは、さらに、任意に、着脱自在の耳当て、着脱自在の、あるいは、固定されたＡＭ／ＦＭラジオまたはスキャナ、または、ＡＭ／ＦＭスキャナの組み合わせ、少なくとも一つの着脱自在のイヤホンおよび着脱自在のマイクロホンを含むことが可能である。ユーザーは、特定のスポーツ競技に必要な的確な装備を選別し、選択することが可能である。
2005522725.tif 000002
【特許請求の範囲】
【請求項１】
スポーツ観戦用構成であって、
人の頭部に前記構成を保持するヘッドサポートと、
前記ヘッドサポートに取り付けることができる双眼鏡構成であり、前記双眼鏡構成が、かなり遠方から競技を観戦することを可能にする、双眼鏡構成と、
前記ヘッドサポート構成に着脱自在に取り付けることができるラジオであり、前記ラジオが、所望のときに取り外すことができる、ラジオと
を組合せて備えている、スポーツ観戦用構成。
【請求項２】
さらに、前記ヘッドサポート構成に着脱自在に取り付けることができる耳当てを備えている、請求項１に記載のスポーツ観戦用構成。
【請求項３】
さらに、前記ヘッドサポート構成に着脱自在に取り付けることができるマイクロホンを備えている、請求項１に記載のスポーツ観戦用構成。
【請求項４】
前記ラジオが、携帯電話である、請求項１に記載のスポーツ観戦用構成。
【請求項５】
さらに、前記ヘッドサポート構成に取り付けることができるカメラを備えている、請求項１に記載のスポーツ観戦用構成。
【請求項６】
選択可能なスポーツ観戦装置を構成する方法であって、
双眼鏡レンズを含むバイザー付きヘッドサポートを含むスポーツ観戦装置を利用するステップと、
着脱自在のラジオを前記ヘッドサポートに取り付けるかどうかを決定し、そして、前記決定が肯定である場合、前記ラジオを前記ヘッドサポートに取り付けるステップと、
前記選択可能なスポーツ観戦装置を使用して競技に傾注し、前記競技を観戦するステップと
を備えている、方法。
【請求項７】
さらに、着脱自在の耳当てを前記ヘッドサポートに取り付けるかどうかを決定し、そして、前記決定が肯定である場合、前記耳当てを取り付けるステップを備えている、請求項６に記載の方法。
【請求項８】
さらに、着脱自在のマイクロホンを前記ヘッドサポートに取り付けるかどうかを決定し、そして、前記決定が肯定である場合、前記マイクロホンを取り付けるステップを備えている、請求項６に記載の方法。
【請求項９】
さらに、着脱自在のイヤホンを前記ヘッドサポートに取り付けるかどうかを決定し、そして、前記決定が肯定である場合、前記イヤホンを取り付けるステップを備えている、請求項６に記載の方法。
【発明の詳細な説明】
【技術分野】
【０００１】
本発明は、スポーツ競技用アクセサリーに関し、特に、ヘッドギアの一部に取り付けられる双眼鏡および他の装備を含むことが可能なスポーツ観戦用構成に関する。
【背景技術】
【０００２】
スポーツ競技などに傾注しながら、より良く観戦するために双眼鏡を使用することが好ましい。双眼鏡は、その競技の観戦を高めるために有用な手段を供給するとはいえ、ユーザーがその双眼鏡を支えるのに少なくとも一本の手を連続して使う必要があるので、煩わしいことが多い。それゆえ、ユーザーの両手のどちらも使用することなく、ユーザーの目の前に双眼鏡を支えるためのハンズフリーでサポートできるメカニズムを含む双眼鏡構成を有することは利点である。
【発明の開示】
【発明が解決しようとする課題】
【０００３】
本発明は、ユーザーの両手で双眼鏡を保持する必要なく、スポーツ競技および他のイベントを観戦し、そして、楽しむことを可能にするために、双眼鏡および他の便利な装備を含むことが可能なハンズフリーのヘッドギアバイザー構成に関する。
【０００４】
本発明は、双眼鏡の構成を人の頭部に取り付けられた状態で保持するために用いる調節可能なヘッド固定ストラップと、使用中の位置と不使用中の位置との間に任意に旋回できる、またユーザーが焦点を調節できる双眼鏡とを含むことが可能なバイザー、あるいは、その他の構成を提供する。旋回運動は、本発明に任意に組み込まれることが可能であるが、好ましい方法は、旋回運動を有さないことである。その構成は、任意に、ＡＭ／ＦＭラジオおよび／またはラジオスキャナ、ラジオ、あるいは、ラジオスキャナのための一つのイヤホンまたは二つのイヤホン、カメラおよび寒い気候用の任意の耳当てを含むことが可能である。耳当てが使用される場合、イヤホンは、耳当ての中に着脱自在に取り付けられることが可能である。一つまたは二つのイヤホンを提供することは、本発明の範囲内にある。それらのイヤホンは、ヘッドギア構成から分離可能であり、そして、着脱自在である。本発明の構成要素すべては、着脱自在であり、ユーザーが、あらゆる所定のイベントのために的確な組合せをきっちりと組み立てていくことを可能にする、ということは留意されるべきである。
【発明を実施するための最良の形態】
【０００５】
図１は、本発明の実施例の斜視図を示している。バイザーのひさし部１は、装置を使用しないときにレンズを保護する任意のレンズカバー１０を有する双眼鏡レンズ２を保持することが可能である。バイザーの側面３は、レンズ２および焦点調節メカニズムを収容できるほど十分大きく、フラットか、あるいは、他の形状でもよい。任意の焦点調節ノブ９は、バイザー１の頂部か、あるいは、その他都合のよいあらゆる場所に取り付けられることが可能である。このノブ９は、異なる間隔で焦点を制御するのに使用される。さらに、焦点調節ノブ、あるいは、焦点調節のメカニズムなしに、技術上周知のように、少し離れて固定した焦点調節を使用することも本発明の範囲内である。
【０００６】
ストラップ５は、ユーザーの頭囲に合わせ、そして、頭囲の異なる各人に合わせて調節することが可能である。任意のヒンジ４は、バイザー１が旋回することを可能にする。このヒンジ４は、任意である。好ましい態様は、ヒンジを持たず、そして、旋回運動可能性も備えないことである。本発明は、さらに、装置のどこかに取り付けられる任意の、着脱自在のラジオ、あるいは、固定されたラジオ６を含むことが可能である。このラジオ手段は、ＡＭラジオ、ＦＭラジオ、ＡＭ／ＦＭラジオの組合せ、ラジオスキャナ、携帯電話、アマチュア無線、ＣＢラジオ、あるいは、あらゆる他のラジオ受信機またはトランシーバーを含むラジオ装置のあらゆるタイプでよく、いかなる限定をもするものではない。
【０００７】
ＡＭ／ＦＭ／Ｓｃａｎｎｅｒ（スキャナ）ラジオ６が使用される場合は、ステーションインジケータ７と、可能であれば音量調節ノブ８と同様に、ステーションにチューニングするためのチューニングノブを含むことが可能である。このラジオユニット６は、あらゆる都合のよい固定手段によってヘッド固定ストラップ５に固定されることが可能である。そのラジオは、固定することも、着脱自在にすることも可能である。任意の着脱自在の耳当ては、ラジオの上に、あるいは、ラジオの適所に配置されることが可能である。これまでに述べられているように、ラジオ６は、ＡＭ、ＦＭ、あるいは、スキャナ、または、これらの二つ、あるいは、三つすべてを組み合わせた一つのパーッケージとしても良く、あらゆる組合せでよい。
【０００８】
夏季、あるいは、あらゆるタイプの暖かい気候の下で行うスポーツ競技には耳当てを備える必要はない。それゆえ、任意の耳当ては、本発明で供給される場合でも、ユーザーが望む場合はいつでも取り外すことが可能である。さらに、ユーザーは、必ずしもラジオ装備を使用することを望むとは限らない。それゆえ、ラジオ装置もまた、着脱自在である。とはいえ、そのラジオも、本発明のいくつかの実施例において固定されることが可能である。本発明は、総体的に、ユーザーが、特定のスポーツ競技に利用される任意の装備を選別し、そして、選択することが可能なように、組合せの装置を提示している。特に、耳当て、ラジオ、イヤホンおよび任意の顎ストラップ（図面に示さず）は、着脱自在であり、ユーザーの望みに応じて取り付けたり、省いたりすることが可能である。したがって、本発明は、使用目的に合わせて、スポーツ観戦装置を徐々に増やす方法である。
【０００９】
図１に示される双眼鏡要素２は、単なる双眼鏡要素の一つの実施例である。所望の場合、二つの要素を単一の構成に組み合わせること、あるいは、単一の光学要素、あるいは、望遠鏡要素を使用することは、本発明の範囲内である。さらに、ラジオが、ＡＭ、ＦＭ、あるいは、ＡＭとＦＭとの組合せでよく、それが、進行中のスポーツ競技をモニタするか、あるいは、競技の間にリラックスする音楽に合わせるのに有用であることと；ラジオが、さらに、あらゆるチャンネル、あるいは、周波数帯域を聴くあらゆる他のタイプのラジオ受信機でよいこととは留意されるべきである。
【００１０】
イヤホンは、任意の耳当てを着けても、着けなくても使用することが可能である。耳当てが、寒い冬の間使用されるとき、両耳用に一つ、または、二つのイヤホンを、耳当てに取り付けることが可能であり、そのために、ユーザーは、ラジオ装備に傾聴することが可能であると同時に、耳を暖かく保つことができる。本発明が、暖かい気候の下で使用されるとき、一つ、または、二つのイヤホンを、耳当てから取り外すことが可能であり、そして、それらを着けずに使用することが可能である。
【００１１】
図２および図３は、図１の実施例の上面図および側面図を示している。調節可能なヘッドストラップ５、焦点調節ノブ９および任意のラジオ６が明白に示されている。そのうえ、そのラジオは、小さい垂直のアンテナ１１を有することが可能である。ラジオ手段が、携帯電話を含むあらゆるタイプのラジオ装置でよいということは想起されるべきである。図２に示されるような短い垂直のアンテナ１１は、このタイプの携帯電話（それはラジオである）に最も有用である。標準のＡＭラジオ、あるいは、ＦＭラジオ（あるいは、ＡＭ／ＦＭの組み合わせ）は、いっそうの効率のために内部コイルアンテナを有することが可能である。
【００１２】
本発明は、さらに、着脱自在のカメラを含むことも可能である。このカメラは、機械式カメラ、電子カメラ、デジタルカメラ、あるいは、あらゆる他のタイプのカメラでよい。この任意のカメラのための好ましい配置は、双眼鏡要素と光学的要素との間、あるいは、双眼鏡要素の、あるいは、光学的要素の後方のバイザー内であるが、そのカメラは、どこへでも配置されることが可能である。ボタン１６は、カメラを作動し、そして、写真を取るために、装置のどこへでも配置することが可能である。バイザー（図示せず）に配置される別のノブで自動フィルム巻上げ、あるいは、手動巻上げを使用することが可能である。さらに、それにより写真を撮影するリモートボタン（装置に取り付けられないボタン）を有する電子カメラを使用することも可能である。
【００１３】
図４は、着脱自在のマイクロホン１２を有する本発明の実施例を示している。これは、ラジオが携帯電話であるとき特に有用である。そのうえ、任意のケーブル１４は、外部スキャナラジオ装置１３に使用することが可能である。このケーブルは、いくつかのラジオスキャナを、ヘッドギアに使い勝手が良いように取り付けるには、一般に大き過ぎるので、本発明に有用である。さらに、ユーザーは、イベントを見ながら、同時にスキャナに傾聴しながら、ヘッドギアを着けることを望むことができる。この場合、外部スキャナは、バイザーそれ自体にではなく、ユーザーの近くに配置されることが可能である。スキャナテクノロジーは、将来はずっと小さくなり、ヘッドギアに取り付けるのに都合の良い大きさを備えたスキャナをヘッドギアに取り付けることが可能となる。
【００１４】
図５は、着脱自在の耳当て１５を有する本発明の実施例を示している。これらの耳当ては、ユーザーの選択により、中にラジオを含むように、あるいは、ラジオを取り換えるように構成することが可能である。前に述べたように、本発明の主な特色は、ユーザーが、所定のイベントに利用する装置を選別し、そして、選択することが可能であるということである。そのうえ、らせん状に巻かれた外部の一つ、あるいは、二つのイヤホンを、さらに、本発明に使用することが可能である。ジャックは、この外部イヤホンのためのラジオに設けることが可能である。さらに、一つまたは二つのイヤホンは、ラジオを使用することができる状態のままで、さらに冬の快適さのために耳当てに取り付けることが可能である。
【産業上の利用可能性】
【００１５】
本発明は、ユーザーが特定の競技のために異なる装置を選別し、そして、選択するという点で、スポーツ競技のハンズフリー観戦にきわめて有用である。
【図面の簡単な説明】
【００１６】
【図１】本発明の実施例の斜視図である。
【図２】図１の実施例の側面図である。
【図３】図１の実施例の上面図である。
【図４】マイクロホンを含む本発明の実施例の斜視図である。
【図５】耳当てを含む本発明の実施例の側面図である。
【符号の説明】
【００１７】
１  バイザーひさし部  ２  双眼鏡レンズ  ３  バイザーの側面
４  任意のヒンジ  ５  ストラップ  調節可能なヘッドストラップ
６  任意の着脱自在の、あるいは、固定したラジオ
７  ステーション、あるいは、ステーションインジケータ
８  音量調節ノブ  ９  任意の焦点調節ノブ
１０  任意のレンズカバー
１１  短い垂直のアンテナ  １２  着脱自在のマイクロホン
１３  外部スキャナラジオ装置  １４  任意のケーブル
１５  耳当て  １６  ボタン
【図１】
2005522725.tif 000003
【図２】
2005522725.tif 000004
【図３】
2005522725.tif 000005
【図４】
2005522725.tif 000006
【図５】
2005522725.tif 000007
【国際調査報告】
2005522725.tif 000008
2005522725.tif 000009